(57)【要約】      （修正有）【課題】筐体の側面と筐体内に設置された制御ボックスとの間のスペースに生じる渦流を低減する。【解決手段】互いに交差する一対の側面を有し、一対の側面のうちで一方の側面に空気吸込口１２が設けられると共に他方の側面にメンテナンス用の管理作業領域ＭＲが設けられ、上面に空気吹出口１３を設けられた筐体と、筐体の内部に空気吸込口に沿わせて設置された熱交換器３０と、筐体の内部に空気吹出口に臨んで設置された一つの送風ファン４０と、筐体の内部において送風ファンよりも下側に配置された管理作業領域に設置され、空調用制御部品を収容する制御ボックス５０とを具備し、筐体が、一方の側面を他方の側面に対して送風ファンの回転方向下流側に配置したものであり、制御ボックスが、他方の側面から立ち上がって一方の側面と対向する外側面５０ａを有し、外側面が、一方の側面及び他方の側面の双方に対して遠ざかるように延びる傾斜部Ｉを有する。【選択図】図４
2020094744.tif 000002
【特許請求の範囲】
【請求項１】
互いに交差する一対の側面を有し、前記一対の側面のうちで一方の側面に空気吸込口が設けられると共に他方の側面にメンテナンス用の管理作業領域が設けられ、上面に空気吹出口を設けられた筐体と、
前記筐体の内部に前記空気吸込口に沿わせて設置された熱交換器と、
前記筐体の内部に前記空気吹出口に臨んで設置された一つの送風ファンと、
前記筐体の内部において前記送風ファンよりも下側に配置された前記管理作業領域に設置され、空調用制御部品を収容する制御ボックスとを具備し、
前記筐体が、前記一方の側面を前記他方の側面に対して前記送風ファンの回転方向下流側に配置したものであり、
前記制御ボックスが、前記他方の側面から立ち上がって前記一方の側面と対向する外側面を有し、
前記外側面が、前記一方の側面及び前記他方の側面の双方に対して遠ざかるように延びる傾斜部を有していることを特徴とする空気調和機の室外機。
【請求項２】
前記筐体が、概略直方体状をなし、前記一対の側面を含む各側面に空気吸込口が設けられたものであって、前記他方の側面に対して前記空気吸込口が前記管理作業領域よりも前記送風ファンの回転方向上流側に設けられているものである請求項１記載の空気調和機の室外機。
【請求項３】
前記外側面が、前記送風ファンの回転軸を通り前記他方の側面と直交する面を基準面とした場合に、前記他方の側面の前記基準面よりも前記一方の側面に近い位置から立ち上がっている請求項１又は２のいずれかに記載の空気調和機の室外機。
【請求項４】
前記筐体が、前記空気吹出口を形成する開口部下側に機械室を有するものであり、
前記機械室の前記開口部下端から前記制御ボックス上端までの間の第１空間の容積をＶ１とし、前記機械室の前記開口部下端から当該機械室の１／２の高さまでの間の第２空間の容積をＶ２とし、前記第２空間に含まれる前記制御ボックスの容積をＶ３としたときに、
Ｖ１／（Ｖ２−Ｖ３）＞０．３７５の関係を満たすように構成されている請求項１乃至３のいずれかに記載の空気調和機の室外機。
【請求項５】
前記空気吹出口の水平投影面積をＳ１とし、前記空気吹出口の水平投影及び制御ボックスの水平投影の重複面積をＳ２としたときに、
Ｓ２／Ｓ１＜０．２２の関係を満たすように構成されている請求項１乃至４のいずれかに記載の空気調和機の室外機。
【請求項６】
前記筐体の内部に設置され、前記制御ボックスの下方に配置された圧縮機をさらに具備し、
前記制御ボックスと前記圧縮機との間に５０ｍｍ以上の隙間が設けられている請求項１乃至５のいずれかに記載の空気調和機の室外機。
【請求項７】
前記筐体が、上面に複数の空気吹出口が設けられたものであり、
前記各空気吹出口に臨んで設置された複数の送風ファンを具備し、
前記基準面が、前記複数の送風ファンのうちで前記一方の側面に最も近い前記送風ファンの回転軸を通るものである請求項３乃至６のいずれかに記載の空気調和機の室外機。
【発明の詳細な説明】
【技術分野】
【０００１】
本発明は、空気調和機の室外機に関するものである。
【背景技術】
【０００２】
従来の空気調和機の室外機として、例えば、特許文献１には、概略直方体状をなし、一つの側面にメンテナンス用の管理作業領域が設けられていると共に他の側面に空気吸込口が設けられ、上面に空気吹出口を設けられた筐体と、筐体の内部に空気吸込口に沿わせて設置された熱交換器と、筐体の内部に空気吹出口に臨んで設置された一つの送風ファンと、筐体の内部において送風ファンよりも下側に配置された管理作業領域に設置され、空調用制御部品を収容する制御ボックスとを具備するものがある。
【０００３】
しかし、前記特許文献１に開示された室外機においては、筐体の制御ボックスが設置された側面と交差する各側面と、当該制御ボックスと、の間のスペースに渦流が発生するという問題があった。特に、筐体の制御ボックスが設けられた側面に対して送風ファンの回転方向下流側に配置された側面と、当該制御ボックスと、の間のスペースには非常に風量の大きい渦流が発生し、この渦流が送風ファンの気流の圧損や騒音の原因になっていた。
【先行技術文献】
【特許文献】
【０００４】
【特許文献１】特開２００４−１５６８００号公報
【発明の概要】
【発明が解決しようとする課題】
【０００５】
そこで、本発明は、筐体の側面と当該筐体内に設置された制御ボックスとの間のスペースに生じる渦流を低減できる空気調和機の室外機を得ることを主な課題とするものである。
【課題を解決するための手段】
【０００６】
すなわち、本発明に係る空気調和機の室外機は、互いに交差する一対の側面を有し、前記一対の側面のうちで一方の側面に空気吸込口が設けられると共に他方の側面にメンテナンス用の管理作業領域が設けられ、上面に空気吹出口を設けられた筐体と、前記筐体の内部に前記空気吸込口に沿わせて設置された熱交換器と、前記筐体の内部に前記空気吹出口に臨んで設置された一つの送風ファンと、前記筐体の内部において前記送風ファンよりも下側に配置された前記管理作業領域に設置され、空調用制御部品を収容する制御ボックスとを具備し、前記筐体が、前記一方の側面を前記他方の側面に対して前記送風ファンの回転方向下流側に配置したものであり、前記制御ボックスが、前記他方の側面から立ち上がって前記一方の側面と対向する外側面を有し、前記外側面が、前記一方の側面及び前記他方の側面の双方に対して遠ざかるように延びる傾斜部を有していることを特徴とするものである。
【０００７】
このようなものであれば、筐体の空気吸込口が設けられた一方の側面と対向する制御ボックスの外側面に傾斜部を設けたので、一方の側面の空気吸込口から筐体内に吸い込まれた空気が、制御ボックスと干渉し難くなる。これにより、制御ボックスの外側面に沿って空気がスムーズに流れるようになり、当該外側面近傍における渦流の発生を抑制できる。その結果、送風ファンの気流の圧損や騒音が低減できる。また、制御ボックスが、筐体の側面に設置されるため、メンテナンス性が向上する。
【０００８】
また、具体的には、前記筐体が、概略直方体状をなし、前記一対の側面を含む各側面に空気吸込口が設けられたものであって、前記他方の側面に対して前記空気吸込口が前記管理作業領域よりも前記送風ファンの回転方向上流側に設けられているものであってもよい。
【０００９】
このようなものであれば、筐体の側面に対する空気吸込口が占める面積が広くなり、筐体内に吸い込まれる空気の風量が増加して熱交換効率が増す。一方、筐体内に吸い込まれる空気の風量が増加すると共に、筐体の一方の側面と制御ボックスの外側面との間のスペースが狭くなり、このスペースのより風量の大きな渦流が発生するが、本発明によれば、当該渦流を抑制できる。
【００１０】
なお、前記外側面が、前記送風ファンの回転軸を通り前記他方の側面と直交する面を基準面とした場合に、前記他方の側面の前記基準面よりも前記一方の側面に近い位置から立ち上がっているものであってもよい。
【００１１】
また、前記筐体が、前記空気吹出口を形成する開口部下側に機械室を有するものであり、前記機械室の前記開口部下端から前記制御ボックス上端までの間の第１空間の容積をＶ１とし、前記機械室の前記開口部下端から当該機械室の１／２の高さまでの間の第２空間の容積をＶ２とし、前記第２空間に含まれる前記制御ボックスの容積をＶ３としたときに、Ｖ１／（Ｖ２−Ｖ３）＞０．３７５の関係を満たすように構成されているものであってもよい。
【００１２】
このようなものであれば、制御ボックスの形状や配置を、機械室上部の容積等をパラメータとして設計することができ、送風ファンの気流の圧損を抑制できる。これにより、熱交換器の熱交換効率を向上させることができる。
【００１３】
また、前記空気吹出口の水平投影面積をＳ１とし、前記空気吹出口の水平投影及び制御ボックスの水平投影の重複面積をＳ２としたときに、Ｓ２／Ｓ１＜０．２２の関係を満たすように構成されているものであってもよい。
【００１４】
このようなものであれば、制御ボックスの形状や配置を、重複面積率等をパラメータとして設計することができ、送風ファンの気流の圧損を抑制できる。これにより、熱交換器の熱交換効率を向上させることができる。
【００１５】
また、前記筐体の内部に設置され、前記制御ボックスの下方に配置された圧縮機をさらに具備し、前記制御ボックスと前記圧縮機との間に５０ｍｍ以上の隙間が設けられているものであってもよい。
【００１６】
このようなものであれば、圧縮機を制御ボックスの下方に配置したので、圧縮機の存在による送風ファンの気流の圧損を低減できる。また、制御ボックスと圧縮機との間にある程度隙間を設けたので、空気吹出口から雨水等の水滴が筐体内に侵入した場合に、その水滴が圧縮機に当たって跳ね返り制御ボックスへ侵入することを防止できる。また、制御ボックス下側に設けられたメンテナンス用の開口から機械室内へアクセスして圧縮機を補修等する場合に、作業者が作業し易くなる。
【００１７】
また、前記筐体が、上面に複数の空気吹出口が設けられたものであり、前記各空気吹出口に臨んで設置された複数の送風ファンを具備し、前記基準面が、前記複数の送風ファンのうちで前記一方の側面に最も近い前記送風ファンの回転軸を通るものであってもよい。
【発明の効果】
【００１８】
このように構成した本発明によれば、筐体の側面と当該筐体内に設置された制御ボックスとの間のスペースに生じる渦流が抑制され、送風ファンの気流の圧損や騒音の発生を低減できる。
【図面の簡単な説明】
【００１９】
【図１】実施形態に係る室外機を模式的に示す斜視図である。
【図２】実施形態に係る室外機の内部構造を模式的に示す断面図である。
【図３】実施形態に係る室外機の内部構造を模式的に示す断面図である。
【図４】実施形態に係る室外機を模式的に示す平面図である。
【図５】実施形態に係る室外機の制御ボックスを模式的に示す斜視図である。
【図６】実施形態に係る室外機の空気吹出口と制御ボックスとを水平投影させた状態を示す図である。
【発明を実施するための形態】
【００２０】
以下に、本発明に係る冷蔵庫を図面に基づいて説明する。
【００２１】
本発明に係る空気調和機の室外機は、少なくとも室内熱交換器を有する室内機と接続されて空気調和機を構成するものである。
【００２２】
＜実施形態＞  本実施形態に係る空気調和機の室外機１００は、図１〜図４に示すように、所謂上吹出しタイプのものである。そして、室外機１００は、筐体１０と、筐体１０内に設置された圧縮機２０、室外熱交換器３０、それらを接続する冷媒配管（図示せず）、送風ファン４０、及び、制御ボックス５０と、を備えている。その他、筐体１０内には、四方弁及び膨張弁（いずれも不図示）などが設置されている。
【００２３】
前記筐体１０は、概略直方体状をなしている。そして、筐体１０は、圧縮機２０及び室外熱交換器３０が設置される概略矩形状をなすベース板１１を備えている。なお、ベース板１１は、左右に長手方向を有する概略矩形状をなすものであり、圧縮機２０を取り囲むように室外熱交換器３０が設置されている。
【００２４】
前記室外熱交換器３０は、ベース板１１上に圧縮機２０を取り囲むように設置されている。具体的には、室外熱交換器３０は、図４に示すように、上面視において、圧縮機２０の前面側を除く全体を取り囲むように、扁平状のものを三回屈曲させた形状をなしている。これにより、室外熱交換器３０は、上面視において、ベース板１１の左側辺、右側辺、前側辺の一部、及び、後側辺に沿って設置されている。
【００２５】
そして、前記筐体１０は、左側面１０ａ、右側面１０ｂ、前側面１０ｃ（前面）の一部、及び、後側面１０ｄ（背面）にそれぞれ空気吸込口１２が形成されている。これにより、筐体７内において左側面１０ａ、右側面１０ｂ、前側面１０ｃの一部、及び、後側面１０ｄに沿って室外熱交換器３０が設置された構成となる。
【００２６】
また、前記筐体１０は、図１〜図３に示すように、上面１０ｅに一つの空気吹出口１３が形成されている。具体的には、筐体１０の上部には、送風ファン４０が設置されたベルマウス１４（開口部）が配置されており、ベルマウス１４の上部開口が、筐体１０の上面１０ｅに設けられた空気吹出口１３となる。これにより、筐体１０の内部において、空気吹出口１３に臨んで送風ファン４０が設置された構成となる。
【００２７】
また、前記筐体１０の内部には、ベルマウス１４よりも下側に制御ボックス５０が設置されている。これにより、筐体１０の内部には、送風ファン４０よりも下側に制御ボックス５０が設置された構成となる。つまり、制御ボックス５０は、空気吸込口１２及び空気吹出口１３の間において送風ファン４０により生じる空気流の流路上に配置されている。
【００２８】
よって、前記筐体１０は、ベルマウス１４の下部開口よりも下側、言い換えれば、ベルマウス１４下端よりも下側であってベース板１１の上側が機械室ＭＳをなしている。そして、当該機械室ＭＳ内に、圧縮機２０、室外熱交換器３０、及び、制御ボックス５０が設置された構成になっている。
【００２９】
そして、前記室外機１００は、図２及び図３に示すように、機械室ＭＳのベルマウス１４下端から制御ボックス５０上端までの間の第１空間Ｓａ（図２参照）の容積をＶ１とし、機械室ＭＳのベルマウス１４下端から当該機械室ＭＳの１／２の高さまでの間の第２空間Ｓｂ（図３参照）の容積をＶ２とし、当該第２空間Ｓｂに含まれる制御ボックス５０（図３中、一点鎖線にて示す）の容積をＶ３としたときに、Ｖ１／（Ｖ２−Ｖ３）＞０．３７５の関係を満たすように構成されている。
【００３０】
次に、前記制御ボックス５０の形状及び機械室ＭＳ内における配置について詳細に説明する。
【００３１】
前記制御ボックス５０は、空調制御を行うための制御機器を構成する空調用制御部品を収容するためのものである。なお、本実施形態の制御ボックス５０は、図５に示すように、上面視において、直角台形状をなす第１ボックス部５１と、矩形状をなす第２ボックス部５２と、を備えている。なお、第２ボックス部５２は、第１ボックス部５１の底面に連続して後方（筐体１０の内方へ延びる方向）へ配置されており、第１ボックス部５１よりも低い高さの上面を有している。なお、第２ボックス部の上面は、第１ボックス部５２から後方へ向かって下方へ傾斜している。
【００３２】
そして、前記制御ボックス５０は、図４に示すように、筐体１０の前側面１０ｃにおける空気吸込口１２が形成されていない部分に設けられた管理作業領域ＭＲに設置されている。管理作業領域ＭＲは、室外機のメンテナンスに用いられる領域であり、制御ボックス５０が設置されるだけでなく、筐体１０の機械室ＭＲにアクセスするための着脱可能なパネル等が据え付けられる。よって、管理作業領域ＭＲは、少なくとも制御ボックス５０で覆われた部分から筐体１０内へ空気を吸い込まないように構成されている。なお、本実施形態の管理作業領域ＭＲは、その全面が筐体１０内へ空気を吸い込まないように制御ボックス５０やパネル等で覆われた構成になっている。また、本実施形態の管理作業領域ＭＲは、筐体１０の前側面１０ｃにおける室外熱交換器３０の両端の間に設けられている。
【００３３】
なお、本実施形態の筐体１０は、前側面１０ｃに対し、右側面１０ｂ側に空気吸込口１２が設けられている。このため、管理作業領域ＭＲは、筐体１０の前側面１０ｃに対し、左側面１０ａ側寄りに設けられている。よって、制御ボックス５０は、上面視において、筐体の中心に位置する送風ファン４０の回転軸Ｘに対して左側面１０ａ側に偏った位置に配置されている。
【００３４】
また、前記制御ボックス５０は、管理作業領域ＭＲから立ち上がる左外側面５０ａを有している。具体的には、制御ボックス５０の左外側面５０ａは、送風ファン４０の回転軸Ｘを通り筐体１０の前側面１０ｃと直交する面を基準面Ａとした場合に、基準面Ａよりも筐体１０の左側面１０ａに近い位置から立ち上がっている。
【００３５】
そして、制御ボックス５０の左外側面５０ａは、筐体１０の前側面１０ｃに対し、送風ファン４０の回転方向下流側に配置された筐体１０の左側面１０ａと対向している。また、制御ボックス５０の左外側面５０ａは、筐体１０の前側面１０ｃから遠ざかるに従って筐体１０の左側面１０ａからも遠ざかるように延びる傾斜部Ｉを有している。よって、制御ボックス５０の傾斜部Ｉは、筐体１０の前側面１０ｃ及び左側面１０ａがなす角部から筐体１０の内方（送風ファン４０の回転軸Ｘ側）へ向かって延びている。従って、左側面１０ａが、請求項における一方の側面に対応し、前側面１０ｃが、請求項における他方の側面に対応し、左外側面が、請求項における外側面に対応している。
【００３６】
なお、前記制御ボックス５０は、管理作業領域ＭＲから直交するように立ち上がる右外側面５０ｂを有している。具体的には、制御ボックス５０の右外側面５０ｂは、基準面Ａよりも筐体１０の右側面１０ｂ寄りの位置から立ち上がっている。そして、制御ボックス５０の右外側面５０ｂは、筐体１０の前側面１０ｃに対し、送風ファン４０の回転方向上流側に配置された筐体１０の右側面１０ｂと対向している。なお、制御ボックス５０の右外側面１０は、筐体１０の右側面１０ｂと平行になっている。
【００３７】
ここで、前記制御ボックス５０は、図６に示すように、空気吹出口１３の水平投影面積をＳ１とし、空気吹出口１３の水平投影Ｐ１及び制御ボックス５０の水平投影Ｐ２の重複面積をＳ２としたときに、Ｓ２／Ｓ１＜０．２２の関係を満たすように機械室ＭＳ内に配置されている。
【００３８】
また、前記制御ボックス５０は、図２に示すように、圧縮機２０の上方に設置されている。よって、制御ボックス５０を上面視した場合、その下方に位置する圧縮機２０の大半又は全部が見えない位置関係になっている。また、制御ボックス５０と圧縮機２０との間ｈには、５０ｍｍ以上、より好ましくは１００ｍｍ以上の隙間が設けられている。なお、この隙間に、四方弁、電磁弁、送風ファン４０のモータ、温度センサ等の各種配線を通すことにより、空気吹出口から侵入する雨水等の水滴から当該配線を保護することができると共に、これらの配線に対して作業者が管理作業領域ＭＲから容易にアクセスできるようになってメンテナンス性が向上する。
【００３９】
＜その他の実施形態＞  前記実施形態においては、筐体１０の上面に一つの空気吹出口１３を設けたが、複数の空気吹出口１３を設け、各空気吹出口１３に送風ファン４０を設置してもよい。この場合、基準面Ａは、複数の送風ファン４０のうちで制御ボックス５０の傾斜部Ｉを有する外側面が対向する筐体１０の側面に最も近い送風ファン４０の回転軸を通るものとすればよい。
【００４０】
なお、前記実施形態においては、制御ボックス４０の左外側面５０ａの一部が傾斜部Ｉとなっているが、左側側面５０ａ全体が傾斜部Ｉとなっているものであってもよい。また、傾斜部Ｉは、平坦面に限らず、湾曲面であってもよい。
【００４１】
その他、本発明は前記各実施形態に限られず、その趣旨を逸脱しない範囲で種々の変形が可能であるのは言うまでもない。
【符号の説明】
【００４２】
１００  冷蔵庫
１０  筐体
１０ａ  左側面（一方の側面）
１０ｂ  右側面
１０ｃ  前側面（他方の側面）
１０ｄ  後側面
１２  空気吸込口
１３  空気吹出口
１４  ベルマウス（開口部）
ＭＲ  管理作業領域
ＭＳ  機械室
２０  圧縮機
３０  室外熱交換器
４０  送風ファン
Ｘ  回転軸
Ａ  基準面
５０  制御ボックス
５０ａ  左外側面（外側面）
Ｉ  傾斜部
５０ｂ  右外側面
【図１】
2020094744.tif 000003
【図２】
2020094744.tif 000004
【図３】
2020094744.tif 000005
【図４】
2020094744.tif 000006
【図５】
2020094744.tif 000007
【図６】
2020094744.tif 000008